(57)【特許請求の範囲】
【請求項１】
戸先側、戸尻側の吊車を介してガイドレールから吊下する吊戸の施錠装置であって、吊戸に搭載する操作部と、吊戸の上端に上向きに設置し、上下方向の連結材を介して前記操作部に連結するロック部材と、建物の開口部の上辺の前記ガイドレールの下側に固定する係合部材とを備えてなり、前記操作部は、吊戸の幅方向において前記各吊車の間の中間部より戸尻側で車椅子の使用者が手動操作可能な位置に配置し、吊戸の全閉状態において前記ロック部材を施錠位置に駆動して前記係合部材の係合部に係合させることを特徴とする吊戸の施錠装置。
【請求項２】
前記係合部材は、前記ガイドレールの下面に付設することを特徴とする請求項１記載の吊戸の施錠装置。
【請求項３】
前記係合部材は、前記ガイドレールの全長に付設し、前記各吊車の外れ止め用のねじ部材を下面に摺接させることを特徴とする請求項２記載の吊戸の施錠装置。
【発明の詳細な説明】
【技術分野】
【０００１】
この発明は、たとえば車椅子の使用者であっても、操作部に容易にアクセスして操作することができる吊戸の施錠装置に関する。
【背景技術】
【０００２】
建物の開口部を開閉するために吊戸が広く採用されている。吊戸は、たとえばトイレや貸金庫室などの狭い個室の出入口を開閉する場合にも、室内空間の一部を開閉用に占有することがない点で、ヒンジ式のドアに比して格段に有利である。
【０００３】
従来の吊戸は、たとえば室内側から施錠する場合、戸先側の竪框に操作部を組み込み、操作部によって昇降操作するロッドの先端を吊戸の戸先側の上端に出没させる。一方、建物の開口部の上辺には、ロッドの上端を受け入れる係合部材が戸先側に固定されており、吊戸を全閉状態に閉じ、操作部を操作してロッドを上昇させると、ロッドの上端が係合部材に係合して吊戸を開放不能に施錠することができる（たとえば特許文献１）。
【特許文献１】実公昭６２−５４８２号公報
【発明の開示】
【発明が解決しようとする課題】
【０００４】
かかる従来技術によるときは、操作部は、吊戸の戸先側の竪框に組み込まれているから、たとえばトイレなどの狭い個室の場合、車椅子の使用者の手が届き難く、極めて操作し難いという問題があった。
【０００５】
そこで、この発明の目的は、かかる従来技術の問題に鑑み、吊戸の戸先側、戸尻側の吊車の間に操作部を配置することによって、車椅子の使用者であっても、容易に操作することができる吊戸の施錠装置を提供することにある。
【課題を解決するための手段】
【０００６】
かかる目的を達成するためのこの発明の構成は、戸先側、戸尻側の吊車を介してガイドレールから吊下する吊戸の施錠装置であって、吊戸に搭載する操作部と、吊戸の上端に上向きに設置し、上下方向の連結材を介して操作部に連結するロック部材と、建物の開口部の上辺のガイドレールの下側に固定する係合部材とを備えてなり、操作部は、吊戸の幅方向において各吊車の間の中間部より戸尻側で車椅子の使用者が手動操作可能な位置に配置し、吊戸の全閉状態においてロック部材を施錠位置に駆動して係合部材の係合部に係合させることをその要旨とする。
【０００７】
なお、係合部材は、ガイドレールの下面に付設することができる。
【０００８】
また、係合部材は、ガイドレールの全長に付設し、各吊車の外れ止め用のねじ部材を下面に摺接させることができる。
【発明の効果】
【０００９】
かかる発明の構成によるときは、係合部材は、開口部の上辺に固定され、操作部を介して施錠位置に駆動するロック部材が係合することにより、全閉状態の吊戸を開放不能に施錠することができる。一方、吊戸に搭載する操作部は、吊戸の戸先側、戸尻側の吊車の間に配置されており、極端に戸先側または戸尻側に偏位することがなく、したがって、車椅子の使用者であっても、容易に手が届き、容易に操作することができる。なお、ここでいう操作部は、たとえばトイレなどの狭い個室の出入口を開閉する吊戸を全閉状態にして、室内側から操作することを想定している。また、吊戸そのものは、たとえば室内側の幅方向に長い水平の手摺り状の把手を介して開閉操作することができる。
【００１０】
操作部は、吊戸の中間部より戸尻側に配置することにより、車椅子の使用者により一層容易に操作することができる。この場合の操作部は、吊戸を全閉状態に閉じることにより、車椅子の使用者に一層近付けることができるからである。
【００１１】
係合部材は、全閉状態の吊戸上のロック部材を施錠位置に駆動して係合させることができればよく、たとえばガイドレールの下面に付設する板材とすることにより、ガイドレールと吊戸の上端との間に必要なスペースを最少に抑えることができる。なお、ロック部材を係合させる係合部は、ロック部材を受け入れる下向きの係合凹部としてもよく、板材の途中に設ける切れ目としてもよい。
【００１２】
板材の係合部材をガイドレールの下面に付設し、ガイドレールの全長に亘って延長すれば、ガイドレールに係合して走行する各吊車の外れ止め用のねじ部材を係合部材の下面に摺接させることにより、各吊車がガイドレールから不用意に外れる事故を有効に防止することができる。
【発明を実施するための最良の形態】
【００１３】
以下、図面を以って発明の実施の形態を説明する。
【００１４】
吊戸の施錠装置は、吊戸１１に搭載する操作部２１と、吊戸１１の上端に設置するロック部材２２とを主要部材としてなる（図１、図２）。ただし、ロック部材２２は、吊戸１１に組み込む連結材２３を介して操作部２１と連結されている。
【００１５】
吊戸１１は、建物の開口部Ｗに設置されている。吊戸１１は、戸先側、戸尻側の吊車１２、１２を介してガイドレール１４から吊下されており、吊戸１１の戸先側、戸尻側には、それぞれ戸当り用の緩衝部材１１ａ、１１ｂが付設されている。吊戸１１は、幅木３１ａ、壁レール３１ｂを介して床面Ｆに立設する袖壁用の壁パネル３１の裏面側に引き込むようにして開口部Ｗを開くことができる（図２の矢印Ｋ1 方向）。また、開口部Ｗの上辺には、壁パネル３１と共通の笠木３２ａを介して、小壁用の壁パネル３２が垂設されている。
【００１６】
吊戸１１の戸先側には、垂直方向の把手１１ｃが吊戸１１の表面側（室外側）、裏面側（室内側）に対称形に突出するようにして付設されており、吊戸１１の中間部には、水平方向の手摺り状の把手１１ｄが裏面側に付設されている。なお、吊戸１１の下端は、床面Ｆから隙間Ｇ相当だけ高くなっている。
【００１７】
吊戸１１用のガイドレール１４は、壁パネル３１、３２に共通に設置するベース材１５に対し、補強材１４ａを介して取り付けられている（図１、図３）。ガイドレール１４は、補強材１４ａとともに、ベース材１５に対して吊戸１１の戸先側が戸尻側より低くなるように傾けて固定されており、したがって、吊戸１１は、自動閉鎖形に構成されている。
【００１８】
吊車１２、１２は、それぞれローラ１２ａをブラケット１２ｂに装着して構成されている。ローラ１２ａは、ガイドレール１４に係合して転動する垂直回転形の溝付きローラであり、ブラケット１２ｂ、１２ｂは、それぞれ適切な枚数のスペーサ板１２ｃを介して吊戸１１の上端に固定されている。各ブラケット１２ｂを固定するボルト１２ｄ、１２ｄは、それぞれ吊戸１１内の埋込みナット１２ｅにねじ込まれており（図１、図４）、埋込みナット１２ｅは、吊戸１１の上端のフレーム材１１ｅに対して下から上向きに埋め込まれている。また、ベース材１５には、吊車１２、１２、ガイドレール１４を覆うカバー板１５ａが着脱自在に付設されている（図３）。
【００１９】
吊戸１１の下端には、ガイドローラ１６が係合している（図２、図５）。ガイドローラ１６は、ブラケット１６ａを介して壁パネル３１の裏面側に上向きに付設されており、吊戸１１の下端には、フレーム材１１ｅを介して、ガイドローラ１６を収納する下部開放のガイドレール１１ｆが装着されている。
【００２０】
吊戸１１は、上下のフレーム材１１ｅ、１１ｅの間にペーパハニカムの芯材１１ｇを充填し、表面材１１ｈ、１１ｈを両面に貼着して構成されている。一方、壁パネル３１は、床面Ｆに設置する床レール３１ｃ内に調節ねじ３１ｄ1 付きのアジャスタ３１ｄを設け、アジャスタ３１ｄ、床レール３１ｃに幅木３１ａを被せるようにして設置されている。また、壁パネル３１は、吊戸１１と同様に、上下のフレーム材３１ｅ、３１ｅの間にペーパハニカムの芯材３１ｇを充填し、両面に表面材３１ｈ、３１ｈを貼着して構成されている。ただし、図５には、下のフレーム材３１ｅのみが図示されており、芯材３１ｇには、ガイドローラ１６用のブラケット１６ａをねじ止めする補強材３１ｋが埋め込まれている。
【００２１】
吊戸１１は、吊車１２、１２を介して開口部Ｗを全閉状態に閉じることができ（図２）、把手１１ｃを含む戸先側を除いて壁パネル３１の裏面側に引き込み、開口部Ｗを開放することができる（図２の矢印Ｋ1 方向）。なお、戸先側の吊車１２には、吊戸１１が全閉状態に近付いたときに作動する回転形のダンパ装置を付設することにより、吊戸１１の全閉時の衝撃を緩和することができる。
【００２２】
吊戸１１に搭載する操作部２１は、吊戸１１の裏面側（室内側）の操作レバー２１ａと、吊戸１１内に組み込むカム板２１ｂと、吊戸１１の表面側（室外側）の表示部２１ｃとを備えている（図１、図６）。操作レバー２１ａ、カム板２１ｂは、回転軸２１ｄを介して連結されており、表示部２１ｃには、操作レバー２１ａ、カム板２１ｂの回転位置を表示する図示しない表示窓が開口されている。操作レバー２１ａは、台座２１ｅ上において正逆に９０°の範囲で回転操作することができ、操作レバー２１ａの操作状態は、表示部２１ｃの表示窓を介して吊戸１１の表面側に表示することができる。
【００２３】
ロック部材２２は、吊戸１１の上端のガイド部材２２ａを介し、上向きに昇降自在に設置されている（図１、図４）。ガイド部材２２ａは、スペーサブロック２２ｂを介して支持されており、スペーサブロック２２ｂは、取付ねじ２２ｃ、２２ｃを介して吊戸１１の上のフレーム材１１ｅに固定されている。ロック部材２２には、長い薄板状の連結材２３の上端が回転自在に連結されており、連結材２３の下端は、カム板２１ｂの偏心位置に回転自在に連結されている（図４、図６）。なお、連結材２３は、吊戸１１の内部に上下方向に組み込まれており、連結材２３の下端部には、薄板状の補強材２３ａが断面十字状に付設されている。
【００２４】
ガイドレール１４の下面には、ロック部材２２が係合する係合部材２４が付設されている（図１）。係合部材２４は、ガイドレール１４の全長に亘って延びる板材である。係合部材２４には、吊戸１１を全閉状態に閉じるとき、ロック部材２２に対応する切れ目２４ａが形成されており（図１、図４）、切れ目２４ａは、ロック部材２２が下から係合する係合部材２４の係合部となっている。また、各吊車１２のブラケット１２ｂには、外れ止め用のねじ部材１２ｆが装着されており（図３、図４）、ねじ部材１２ｆの先端部の丸棒部分は、係合部材２４の下面に摺接することにより、ローラ１２ａがガイドレール１４から浮き上がって外れてしまうことを防止する。
【００２５】
ロック部材２２は、操作部２１の操作レバー２１ａを上向きに回転させることにより、カム板２１ｂ、連結材２３を介してガイド部材２２ａ内に低く引き込まれる（図４の二点鎖線）。そこで、このときのロック部材２２は、係合部材２４と係合することがなく、吊戸１１は、任意に開閉操作可能である。一方、吊戸１１を全閉状態に閉じると、ロック部材２２は、係合部材２４の切れ目２４ａに対応する。そこで、操作部２１の操作レバー２１ａを横向きに回転操作すると、ロック部材２２は、カム板２１ｂ、連結材２３を介してガイド部材２２ａから上向きに突出し、切れ目２４ａに係合する施錠位置に駆動され（図４の実線）、吊戸１１を開放不能に施錠することができる。
【００２６】
なお、このときのロック部材２２は、切れ目２４ａに対し、吊戸１１の戸尻側の一端に係合させ、施錠中の吊戸１１の不用な動きを防止する。また、このようにして吊戸１１を施錠すると、操作部２１の室外側の表示部２１ｃには、その旨が表示される。なお、操作部２１の操作レバー２１ａを元の上向き位置に復帰させれば、ロック部材２２が係合部材２４の切れ目２４ａから外れ、吊戸１１を解錠して任意に開放することができる。
【００２７】
図１において、操作部２１は、ロック部材２２とともに、吊戸１１の幅方向において戸先側、戸尻側の吊車１２、１２の間に配置され、吊戸１１の幅方向の中間部より戸尻側に配置されている。そこで、吊戸１１を開け、たとえば車椅子の使用者が開口部Ｗから室内側に前向きに進入しても、室内側において車椅子を軽く壁パネル３１側に寄せることにより、水平の把手１１ｄを介して吊戸１１を全閉に閉じ、操作部２１を操作して吊戸１１を容易に施錠することができる。また、操作部２１を介して吊戸１１を解錠し、吊戸１１を開放して室外側に退去することも容易である。
【００２８】
以上の説明において、係合部材２４には、ロック部材２２を係合させるために、切れ目２４ａを設けるに代えて、ロック部材２２を下から係合させる係合凹部を形成してもよい。また、係合部材２４は、板材に代えて、たとえば横向きのチャンネル材としてもよく、ガイドレール１４の下面に付設するに代えて、ガイドレール１４から独立の部材として、たとえば開口部Ｗの上辺のベース材１５上に固定してもよい。さらに、係合部材２４は、ガイドレール１４の全長に亘って延長するに代えて、吊戸１１を全閉状態に閉じるとき、ロック部材２２が対応して係合し得るだけの短い部材に形成することも可能である。
【図面の簡単な説明】
【００２９】
【図１】全体構成図（裏面側）
【図２】全体正面図（表面側）
【図３】図１のＸ−Ｘ線矢視相当拡大断面図
【図４】図１の要部拡大図
【図５】図２のＹ−Ｙ線矢視相当拡大断面図
【図６】図１のＺ−Ｚ線矢視相当拡大断面図
【符号の説明】
【００３０】
Ｗ…開口部
１１…吊戸
１２…吊車
１２ｆ…ねじ部材
１４…ガイドレール
２１…操作部
２２…ロック部材
２４…係合部材
特許出願人          小松ウオール工業株式会社
代理人  弁理士                松  田  忠  秋
【図１】
0005271542.tif 000002
【図２】
0005271542.tif 000003
【図３】
0005271542.tif 000004
【図４】
0005271542.tif 000005
【図５】
0005271542.tif 000006
【図６】
0005271542.tif 000007